(57)【要約】【課題】俊敏な操作と操作の確実性とを両立させる。【解決手段】スイッチ装置であって、多方向スイッチの操作部を傾動させた場合にいずれかが導通する複数の傾動接点、および、操作部を押し込んだ場合に導通する押込接点を監視して、それぞれの導通を検出する導通検出部と、複数の傾動接点のいずれかの傾動接点が導通したことが導通検出部により検出されたことを条件に対応する回路を動作させるか、いずれかの傾動接点が導通してかつ押込接点が導通したことが導通検出部により検出されたことを条件に回路を動作させるか、を切り替え可能な導通制御部とを備える。【選択図】図７
2012226225.tif 000002
【特許請求の範囲】
【請求項１】
多方向スイッチの操作部を傾動させた場合にいずれかが導通する複数の傾動接点、および、前記操作部を押し込んだ場合に導通する押込接点を監視して、それぞれの導通を検出する導通検出部と、
前記複数の傾動接点のいずれかの傾動接点が導通したことが前記導通検出部により検出されたことを条件に前記いずれかの傾動接点に対応する回路を動作させるか、前記いずれかの傾動接点が導通してかつ押込接点が導通したことが前記導通検出部により検出されたことを条件に前記回路を動作させるか、を切り替え可能な導通制御部と
を備えるスイッチ装置。
【請求項２】
前記導通制御部は、前記押込接点が単独で導通したことが前記導通検出部により検出された場合に、前記押込接点に割り当てられた回路を動作させる請求項１に記載のスイッチ装置。
【請求項３】
前記導通検出部は前記多方向スイッチを監視しており、前記導通制御部は前記複数の傾動接点のそれぞれに対して個別に前記回路を動作させる条件を設定できる請求項１または２に記載のスイッチ装置。
【請求項４】
請求項１から３までのいずれか一項に記載のスイッチ装置と、
被写体光束が形成する像光を撮像する撮像部と
を備える撮像装置。
【請求項５】
前記撮像部が動画を撮影する場合に、前記導通制御部は、前記複数の傾動接点のいずれかの傾動接点が導通したことが前記導通検出部により検出されたことを条件に前記回路を動作させる請求項４に記載の撮像装置。
【請求項６】
音声を入力するマイクロホンをさらに備え、
前記多方向スイッチは、前記マイクロホンと共通の面に実装される請求項４または５に記載の撮像装置。
【請求項７】
多方向スイッチの操作部を傾動させた場合にいずれかが導通する複数の傾動接点、および、前記操作部を押し込んだ場合に導通する押込接点を監視して、それぞれの導通を検出する導通検出部と、
前記複数の傾動接点のいずれかの傾動接点が導通してかつ押込接点が導通していないことが前記導通検出部により検出された場合に、一の回路を動作させ、前記いずれかの傾動接点が導通してかつ押込接点が導通したことが前記導通検出部により検出された場合に、他の回路を動作させる導通制御部と
を備えるスイッチ装置。
【請求項８】
前記導通制御部は、前記押込接点が単独で導通したことが前記導通検出部により検出された場合に、さらに他の回路を動作させる請求項７に記載のスイッチ装置。
【請求項９】
前記導通検出部は前記多方向スイッチを監視しており、前記導通制御部は前記複数の傾動接点のそれぞれに対して個別に前記回路を動作させる条件を設定できる請求項７または８に記載のスイッチ装置。
【請求項１０】
請求項７から９までのいずれか一項に記載のスイッチ装置と、
被写体光束が形成する像光を撮像する撮像部と
を備える撮像装置。
【請求項１１】
音声を入力するマイクロホンをさらに備え、
前記多方向スイッチは、前記マイクロホンと共通の面に実装される請求項１０に記載の撮像装置。
【発明の詳細な説明】
【技術分野】
【０００１】
本発明は、スイッチ装置および撮像装置に関する。
【背景技術】
【０００２】
多方向操作スイッチの周囲を隆起させて誤操作を防止する構造が提案されている（特許文献１参照）。
［特許文献１］  特開２０１０−２１３０１９号公報
【発明の概要】
【発明が解決しようとする課題】
【０００３】
誤操作防止の構造は、多方向操作スイッチを俊敏に操作する妨げとなる場合がある。
【課題を解決するための手段】
【０００４】
本発明の第一態様として、多方向スイッチの操作部を傾動させた場合にいずれかが導通する複数の傾動接点、および、操作部を押し込んだ場合に導通する押込接点を監視して、それぞれの導通を検出する導通検出部と、複数の傾動接点のいずれかの傾動接点が導通したことが導通検出部により検出されたことを条件に対応する回路を動作させるか、いずれかの傾動接点が導通してかつ押込接点が導通したことが導通検出部により検出されたことを条件に回路を動作させるか、を切り替え可能な導通制御部とを備えるスイッチ装置が提供される。
【０００５】
また、本発明の第二態様として、上記スイッチ装置と、被写体光束が形成する像光を撮像する撮像部とを備える撮像装置が提供される。
【０００６】
更に、本発明の第三態様として、多方向スイッチの操作部を傾動させた場合にいずれかが導通する複数の傾動接点、および、操作部を押し込んだ場合に導通する押込接点を監視して、それぞれの導通を検出する導通検出部と、複数の傾動接点のいずれかの傾動接点が導通してかつ押込接点が導通していないことが導通検出部により検出された場合に、一の回路を動作させ、いずれかの傾動接点が導通してかつ押込接点が導通したことが導通検出部により検出された場合に、他の回路を動作させる導通制御部とを備えるスイッチ装置が提供される。
【０００７】
また更に、本発明の第四態様として、上記スイッチ装置と、被写体光束が形成する像光を撮像する撮像部とを備える撮像装置が提供される。
【０００８】
上記発明の概要は、本発明の必要な特徴の全てを列挙したものではない。これらの特徴群のサブコンビネーションもまた発明となり得る。
【図面の簡単な説明】
【０００９】
【図１】撮像装置１００の背面図である。
【図２】多方向スイッチ組立体２０１の断面図である。
【図３】多方向スイッチ組立体２０１の分解斜視図である。
【図４】多方向スイッチユニット２０４の機能を説明する模式図である。
【図５】多方向スイッチユニット２０４の操作を説明する模式図である。
【図６】多方向スイッチユニット２０４の操作方向と導通状態の関係を示す図である。
【図７】撮像装置１００のブロック図である。
【図８】スイッチ装置２００の制御手順を示す流れ図である。
【図９】スイッチ装置２００の制御手順を示す流れ図である。
【図１０】スイッチ装置２００の制御手順を示す流れ図である。
【図１１】スイッチ装置２００の制御手順を示す流れ図である。
【発明を実施するための形態】
【００１０】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【００１１】
図１は、撮像装置１００の背面図である。撮像装置１００の背面は、ユーザが撮像装置１００を使用する場合に対面する。このため、撮像装置１００の背面には、撮影中にユーザが操作または視認する要素が複数配される。
【００１２】
図示の例では、撮像装置１００の背面に、ファインダ１０３および表示部１４０が配される。ファインダ１０３からは、撮像装置１００の撮像面と共役な位置に配されたフォーカシングスクリーン上に形成された被写体像が観察される。これにより、ユーザは、撮影画像の構図とタイミングを判断する。また、絞り等による撮影効果の確認もできる。更に、ファインダ１０３内には、撮像装置１００に設定されたシャッタ速度、絞り値、発光モード等の撮影条件等も併せて表示される。
【００１３】
表示部１４０は、液晶表示パネル、有機ＥＬパネル等を用いたビットマップディスプレイであり、画像および文字を表示する。撮像装置１００が設定モードである場合は、メニュー、設定値等が表示部１４０に表示される。撮像装置１００が撮影モードにあり、更に、ライブビュー機能が起動されている場合は、撮影前の被写界の様子がスルー画として表示部に表示される。
【００１４】
また、撮像装置１００が再生モードである場合は、既に撮影された画像が表示部１４０に表示される。
【００１５】
表示部１４０が撮影画像を再生表示する場合は、表示部１４０全体に１枚の画像を大きく表示する場合もあるし、縮小した複数の画像を併せて表示する場合もある。いずれの場合も、手動または自動で、表示する画像を順次変更することができる。
【００１６】
撮像装置１００の背面には、種々の操作部も配される。操作部の各々は、用途に応じて様々な形態を有する。図示の例では、操作部は、再生モードボタン１０１、拡大表示ボタン１０２、キートップ２０２、スイッチモード切替レバー２０３等を含む。
【００１７】
再生モードボタン１０１、拡大表示ボタン１０２は、押しボタンの形態を有する。一対のキートップ２０２は、多方向スイッチ組立体２０１の一部であり、全体に揺動する。スイッチモード切替レバー２０３は、撮像装置１００の背面と平行な面内で回動するレバーの形態を有する。
【００１８】
ここで、多方向スイッチ組立体２０１において、一対のキートップ２０２には並列的に同じ機能を割り当ててもよい。これにより、例えば、撮像装置１００の底面に沿って配された縦位置グリップを握って撮影をする場合に、横位置の場合と同様に、下側のキートップ２０２を親指で操作できる。このような用途では、キートップ２０２に対する機能の割り当ては、９０°回転した位置に配される。
【００１９】
なお、スイッチモード切替レバー２０３は、多方向スイッチ組立体２０１の機能を、ロック、俊敏操作モードおよび確実操作モードの間で切り替える場合に使用する。スイッチモード切替レバー２０３をロックにした場合、多方向スイッチ組立体２０１の機能はロックされ、キートップ２０２に対する操作に応答しなくなる。俊敏操作モードおよび確実操作モードについては後述する。
【００２０】
また、撮像装置１００の操作部の一部は、撮像装置１００に対する設定により、操作した場合の機能を変更できる。更に、操作部の一部は、撮像装置１００の動作モードに応じて機能が変化する場合もある。
【００２１】
撮像装置１００の背面には、一組のステレオマイクロホン１８２と、単一のモノラルマイクロホン１８４も配される。ステレオマイクロホン１８２は、撮像装置１００により動画を撮影する場合に、撮影画像と共に被写界の音声を録音する。このため、ユーザの呼吸音等を拾わないように、撮像装置１００の上部に配される。
【００２２】
モノラルマイクロホン１８４は、静止画撮影中に、ユーザ自身の音声によるメモを記録する目的で設けられる。このため、撮像装置１００を構えたユーザの声を優先的に記録できるように、撮影中のユーザの口に近い撮像装置１００の下部に配される。
【００２３】
上記のような操作部を有する撮像装置１００は、下記のように操作される。再生モードボタン１０１が押されると、撮像装置１００は、動作を再生モードに遷移させる。撮像装置１００が再生モードになると、表示部１４０には直近に撮影された画像が再生表示される。
【００２４】
この状態で上側のキートップ２０２において右向きの矢印が表示された領域を押し込むと、表示部１４０には、現在表示されている画像の前に撮影された画像が表示される。よって、キートップ２０２の当該領域を繰り返し押し込むことにより、表示部１４０に表示される画像を順送りすることができる。
【００２５】
また、再生モードにおいて、表示部１４０に画像を表示させた状態で拡大表示ボタン１０２を押すと、表示部１４０に表示された画像が拡大される。画像の拡大率は、上側のキートップ２０２において上向きまたは下向きの矢印が表示された領域を押し込むことにより変更できる。
【００２６】
また、表示画像が拡大された場合、表示部１４０には画像の一部が表示される。そこで、拡大表示ボタン１０２を押すことなく下側のキートップ２０２の任意の位置を押し込むことにより、表示領域を移動させることができる。このように、撮像装置１００においては、一対のキートップ２０２に対して個別に機能を割り当てることもできる。これにより、少ない占有面積で多くの機能を撮像装置１００の背面に配することができる。
【００２７】
更に、撮像装置１００により動画を撮影している場合、キートップ２０２において上向きまたは下向きの矢印が表示された領域を押し込むことにより、光学系を変倍させて撮影倍率を変化させることができる。これにより、動画撮影に独特の変倍撮影効果を出すことができる。
【００２８】
上記の例は、キートップ２０２による操作の一例に過ぎない。撮像装置１００において、多方向スイッチ組立体２０１の機能は、多岐にわたる。
【００２９】
図２は、一対の多方向スイッチユニット２０４を含む多方向スイッチ組立体２０１の断面図である。多方向スイッチ組立体２０１は、キートップ２０２、多方向スイッチユニット２０４、押さえ板２０５、フレキシブル基板２０６および外装パネル２０７を含む。なお、この図では、スイッチモード切替レバー２０３は省略した。
【００３０】
多方向スイッチ組立体２０１においては、互いに積層されたキートップ２０２、多方向スイッチユニット２０４およびフレキシブル基板２０６が、押さえ板２０５および外装パネル２０７の間に挟まれる。押さえ板２０５および外装パネル２０７は、固定ビス２０９により結合される。
【００３１】
多方向スイッチユニット２０４は、一部がキートップ２０２と機械的に嵌合して、キートップ２０２と共にその一部が傾動する。フレキシブル基板２０６は、多方向スイッチユニット２０４の一面に沿って配され、多方向スイッチユニット２０４を外部に電気的に接続する配線となる。多方向スイッチユニット２０４およびフレキシブル基板２０６は、押さえ板２０５により背面から支持、固定される。
【００３２】
キートップ２０２は、周縁部が外装パネル２０７に押さえられるが、中央部は外装パネル２０７を貫通して突出する。よって、キートップ２０２は、外装パネル２０７の外側から表面を押された場合に、外装パネル２０７から外れることなく傾動する。
【００３３】
図３は、多方向スイッチ組立体２０１の分解斜視図である。図２と共通の要素には同じ参照番号を付して重複する説明を省く。
【００３４】
外装パネル２０７は、キートップ２０２を挿通する一対の貫通孔を有する板状の部材であり、背面にスペーサとなる柱状部を有する。キートップ２０２は、円盤状の部材で、外装パネル２０７の貫通孔からの抜け落ちを防止するフランジを外周に有する。
【００３５】
多方向スイッチユニット２０４は、フレキシブル基板２０６に実装された状態で組み付けられる。なお、キートップ２０２を外した状態では、多方向スイッチユニット２０４の中央に、傾動操作レバー２０８が現れている。押さえ板２０５は平坦な板状の部材であり、固定ビス２０９を挿通するビス孔が四隅に形成される。
【００３６】
なお、キートップ２０２および外装パネル２０７は、例えば、樹脂材料を成形して作成される。一方、押さえ板２０５は、板金等、剛性と強度を有する材料で形成される。
【００３７】
図４は、多方向スイッチユニット２０４の機能を説明する模式図である。多方向スイッチユニット２０４は、複数の個別端子Ｔ、Ｒ、Ｂ、Ｌ、Ｐと共通端子Ｃとを有する。また、多方向スイッチユニット２０４は、個別端子Ｔ、Ｒ、Ｂ、Ｌに個別に接続された円弧状の固定接点２１と、個別端子Ｐに接続された固定接点２４と、共通端子Ｃに共通に接続された一対の可動接片２２、２３とを有する。
【００３８】
それぞれが円弧状の固定接点２１は、一方の可動接片２２の周囲に固定され、それぞれ約１３５°の範囲で可動接片２２を包囲する。このため、固定接点２１の各々は、その両端約４５°の範囲で、隣接する固定接点２１と重複して可動接片２２を包囲する。
【００３９】
可動接片２２は、多方向スイッチユニット２０４の傾動操作レバー２０８の傾動操作と連動して傾動し、傾動方向に応じて、円弧状の固定接点２１のうちのひとつまたはふたつと接して導通する。これにより、個別接点Ｔ、Ｒ、Ｂ、Ｌのいずれかひとつまたはふたつが、共通接点Ｃに電気的に結合される。
【００４０】
他方の可動接片２３は、多方向スイッチユニット２０４の傾動操作レバー２０８の押し込み操作と連動して変位し、固定接点２４に接する。これにより、個別接点Ｐが共通接点Ｃと電気的に結合される。
【００４１】
なお、説明の便宜を図って、上記の説明では可動接片２３を変位させる操作を「押し込み操作」と記載した。しかしながら、傾動操作レバー２０８を大きく傾動させた場合にも、可動接片２３および固定接点２４は導通する。
【００４２】
即ち、傾動操作レバー２０８を傾動させた場合は、まず、固定接点２１のいずれかと可動接片２２とが接し導通し、その状態から傾動操作レバー２０８を更に傾動させると、固定接点２１および可動接片２２の導通を維持したまま、可動接片２３および固定接点２４も導通する。
【００４３】
具体的には、例えば、傾動操作レバー２０８を２°傾動させた段階で固定接点２１および可動接片２２が導通し、更に傾動操作レバー２０８を７°まで傾動させた場合に、可動接片２３および固定接点２４も併せて導通する。ただし、傾動操作レバー２０８を傾動させることなく、軸方向に真っ直ぐに押し込んだ場合は、固定接点２１および可動接片２２が導通することなく、可動接片２３および固定接点２４が導通する。
【００４４】
図５は、多方向スイッチユニット２０４の操作を説明する模式図である。図４に示したように、多方向スイッチユニット２０４において、固定接点２１の各々の両端部は、隣接する円弧状の固定接点２１と４５°重なって配される。
【００４５】
図６は、多方向スイッチユニット２０４における傾動操作レバー２０８の操作方向と個別端子Ｔ、Ｒ、Ｂ、Ｌの導通状態との関係を示す図である。図示のように、操作された傾動操作レバー２０８の傾き方向ａ〜ｈに応じて、ひとつまたはふたつの個別端子Ｔ、Ｒ、Ｂ、Ｌが共通端子Ｃと電気的に結合される。
【００４６】
よって、共通端子Ｃを基準電圧、例えば、グラウンド電圧に接続することにより、多方向スイッチユニット２０４の導通状態を、個別端子Ｔ、Ｒ、Ｂ、Ｌの電位から検出できる。換言すれば、個別端子Ｔ、Ｒ、Ｂ、Ｌの電位を監視することにより、傾動操作レバー２０８の傾動方向を検出することができる。また、個別端子Ｐの電位を監視することにより、傾動操作レバー２０８の押し込み操作または大きな傾動操作を検出できる。
【００４７】
よって、傾動操作レバー２０８が操作された場合の傾き方向が４５°変化する毎に、個別端子Ｔ、Ｒ、Ｂ、Ｌの導通状態は変化する。これにより、多方向スイッチユニット２０４は、傾動操作レバー２０８の傾き方向ａ〜ｈに応じて、８種類の導通状態を個別端子Ｔ、Ｒ、Ｂ、Ｌに形成する。
【００４８】
また、傾動操作レバー２０８が操作されていない場合は、いずれの個別端子も導通しない。よって、多方向スイッチユニット２０４は、上記の８種類の導通状態と合わせて、個別端子Ｔ、Ｒ、Ｂ、Ｌに９種類の導通状態を形成できる。
【００４９】
更に、傾動操作レバー２０８の押し込みまたは大きな傾動操作により、個別端子Ｐが共通端子Ｃに導通した状態と導通していない状態とが生じる。よって、多方向スイッチユニット２０４は、個別端子Ｔ、Ｒ、Ｂ、Ｌ、Ｐに１８種類の導通状態を形成できる。
【００５０】
なお、多方向スイッチユニット２０４においては、可動接片２２、２３と固定接点２１、２４とが導通する場合に、傾動操作レバー２０８にクリック感が生じるようにしてもよい。これにより、キートップ２０２を操作するユーザに、固定接点２１、２４の導通を感じさせることができる。
【００５１】
ただし、クリック感を生じる構造は同時にクリック音も生じる。撮像装置１００が動画撮影モードで撮影している場合、多方向スイッチユニット２０４においてクリック音が生じると、多方向スイッチ組立体２０１と同じ面に配されたステレオマイクロホン１８２により当該クリック音が録音される場合がある。よって、動画撮影においては、多方向スイッチ組立体２０１がクリック音を生じないことが好ましい。
【００５２】
図示の例では、可動接片２３および固定接点２４を導通させる場合に限ってクリック感およびクリック音が生じる構造が採られる。即ち、多方向スイッチユニット２０４において、傾動操作レバー２０８を傾動する場合にはクリック感およびクリック音が生じない。また、傾動操作レバー２０８を押し込んだり、大きく傾動させたりした場合はクリック感およびクリック音が生じる。
【００５３】
図７は、スイッチ装置２００を含む撮像装置１００のブロック図である。撮像装置１００は、本体ＣＰＵ１６０と、本体ＣＰＵ１６０に直接または間接に接続された複数の要素により形成される。
【００５４】
本体ＣＰＵ１６０には、システムメモリ１１０およびメインメモリ１１２が接続される。システムメモリ１１０は、不揮発性記録媒体および読出専用記録媒体の少なくとも一方を含み、本体ＣＰＵ１６０が実行するファームウエア等を電力の供給なしに保持する。メインメモリ１１２はＲＡＭを含み、システムメモリ１１０から読み出したプログラムを本体ＣＰＵ１６０が実行する場合に作業領域として使用される。
【００５５】
本体ＣＰＵ１６０には、撮像部１７０も接続される。撮像部１７０は、撮像素子駆動部１７２、撮像素子１７４、アナログデジタル変換回路１７６および画像処理回路１７８を含む。撮像素子１７４は、ユーザがレリーズボタンを押し下げたタイミングで撮像素子駆動部１７２に駆動され、入射した被写体の像光を光電変換して画像信号を出力する。
【００５６】
撮像素子１７４から出力された画像信号は、アナログデジタル変換回路１７６により離散化され、画像処理回路１７８において画像データに変換される。画像処理回路１７８は、画像データを生成する過程で、画像のホワイトバランス、シャープネス、ガンマ、階調補正、圧縮等を調整する。
【００５７】
画像処理回路１７８において生成された画像データは、二次記憶媒体１１４に格納して保存される。二次記憶媒体１１４としては、フラッシュメモリカード等の不揮発性記憶素子を備えた媒体が使用される。二次記憶媒体１１４の少なくとも一部は、撮像装置１００から取り外して交換できる。
【００５８】
本体ＣＰＵ１６０には、合焦センサ１２０および測光センサ１３０も接続される。合焦センサ１２０は、撮像装置１００の光学系を通して受光した被写体光が撮像素子１７４の撮像面上に像を結ぶ場合の、当該光学系における光学部品の間隔を算出する。算出された光学部品の合焦位置は、鏡筒ＣＰＵ１５０を通じて合焦駆動回路１５２に通知される。これにより、合焦駆動回路１５２は、撮像装置１００の光学系を合焦させる。
【００５９】
測光センサ１３０は、撮像装置１００の光学系を通して受光した被写体光の輝度分布を計測して、適切な撮影条件を算出する。また、算出された撮影条件は、本体ＣＰＵ１６０および鏡筒ＣＰＵ１５０を通じて、撮像装置１００の各部に設定される。これにより、撮像装置１００は、適切な撮影条件で撮影を実行できる。
【００６０】
なお、撮像装置１００は、変倍駆動回路１５４も備える。変倍駆動回路１５４は、撮像装置１００の光学系の一部をアクチュエータにより移動させて、撮像装置１００の撮影倍率を円滑に変化させる。これにより、撮像装置１００は、電気的な制御により、撮影画像の撮影倍率を、撮影中にも変化させることができる。
【００６１】
本体ＣＰＵ１６０には、マイクロホン１８０およびノイズキャンセル回路１８６も接続される。マイクロホン１８０は、撮像装置１００の背面に配されたステレオマイクロホン１８２およびモノラルマイクロホン１８４を含む。
【００６２】
ノイズキャンセル回路１８６は、マイクロホン１８０に入力された音声から、可動接片２３および固定接点２４が導通した場合に発生するクリック音を除去する機能を有する。即ち、ノイズキャンセル回路１８６は、多方向スイッチユニット２０４において可動接片２３および固定接点２４が導通したことを電気的に検出した場合に、クリック音と波形および振幅が同じで位相が反転した信号を発生して、マイクロホン１８０から入力された音声信号に重畳する。これにより、記録する音声信号からクリック音が打ち消され、動画撮影中に発生したクリック音の記録が防止される。
【００６３】
本体ＣＰＵ１６０には、表示部１４０およびスイッチ装置２００も接続される。表示部１４０は、既に説明した通り、撮影前画像、撮影画像および撮像装置１００の設定値等を表示する。
【００６４】
スイッチ装置２００は、多方向スイッチユニット２０４の他に、導通検出部２１０および導通制御部２２０を有する。また、スイッチ装置２００は、スイッチモード切替レバー２０３と、スイッチモード切替レバー２０３の制御を受けるスイッチモード切替部１６２も含む。
【００６５】
導通検出部２１０は、多方向スイッチユニット２０４における個別端子Ｔ、Ｒ、Ｂ、Ｌ、Ｐの電圧を計測して、多方向スイッチユニット２０４の導通状態を検出する。これにより、導通検出部２１０は、ユーザによる傾動操作レバー２０８の操作方向を検出できる。
【００６６】
また、導通制御部２２０は、スイッチモード切替部１６２により、俊敏操作モードまたは確実操作モードに動作モードを切り替えられる。スイッチモード切替部１６２は、スイッチモード切替レバー２０３によるユーザの指定を受け付ける。または、本体ＣＰＵ１６０の指示による切り替えも受け付ける。
【００６７】
俊敏操作モードにおいて、導通制御部２２０は、多方向スイッチユニット２０４がクリック感を生じない範囲の傾動操作、即ち、個別端子Ｐが導通することなく、個別端子Ｔ、Ｒ、Ｂ、Ｌのいずれかひとつまたはふたつが導通した段階で、検出した導通状態に割り当てられた回路を有効にして、何らかの動作を実行させたり、撮影条件の変化等の他のきっかけにより実行される動作に待機させたりする。よって、俊敏操作モードにおいては、クリック感およびクリック音を生じさせることなく、傾動操作レバー２０８の僅かな傾動操作で何らかの回路を有効にして動作させることができる。
【００６８】
確実操作モードにおいて、導通制御部２２０は、多方向スイッチユニット２０４がクリック感を生じてから、即ち、個別端子Ｔ、Ｒ、Ｂ、Ｌのいずれかひとつまたはふたつが導通し、更に、個別端子Ｐが導通した段階で、検出した導通状態に割り当てられた回路を有効にする。よって、確実操作モードにおいては、クリック感およびクリック音を生じさせてユーザの注意を喚起した後に何らかの回路を有効にする。
【００６９】
導通制御部２２０は、導通検出部２１０から多方向スイッチユニット２０４の導通状態を取得して、傾動操作レバー２０８の操作方向毎に割り当てられた機能を実行する回路を有効にする。図示の例では、本体ＣＰＵ１６０に形成されたコマ送り動作実行回路１６１、拡大表示回路１６３、合焦領域移動回路１６５のいずれかが有効にされる。
【００７０】
コマ送り動作実行回路１６１は、撮像装置１００が再生モードで動作する場合に導通制御部２２０により有効にされると、表示部１４０に表示する画像を他の画像に変更する。再生モードの撮像装置１００においては、表示部１４０に表示された画像に対する画像処理を実行する場合もあるので、特定画像が安定に表示されることが求められる。よって、コマ送り動作実行回路１６１は、確実操作モードにより有効または無効にされることが好ましい。
【００７１】
拡大表示回路１６３は、撮像装置１００が再生モードで動作する場合に、導通制御部２２０により有効にされると、表示部１４０に表示する画像を拡大する。再生モードの撮像装置１００においては、表示部１４０に表示された画像の各部を詳細に検討する目的で、頻繁に拡大率を変更する場合があるので、画像を拡大させる操作に対して撮像装置１００が即応することが求められる。よって、拡大表示回路１６３は、俊敏操作モードの導通制御部２２０により有効または無効にされることが好ましい。
【００７２】
合焦領域移動回路１６５は、撮像装置１００が撮影モードで動作する場合に、導通制御部２２０により有効にされると、撮像装置１００の光学系を合焦させる領域を移動させて、被写界内で合焦させる対象を変更する。撮影モードの撮像装置１００においては、撮影のタイミングが重視されるので、合焦領域を移動させる操作に対して撮像装置１００が即応することが求められる。よって、合焦領域移動回路１６５は、俊敏操作モードにより有効または無効にされることが好ましい。
【００７３】
なお、図１から図３までに示したように、撮像装置１００が複数の多方向スイッチユニット２０４を備える場合、スイッチモード切替部１６２は、複数の多方向スイッチユニット２０４の各々に個別にモードを設定してもよい。更に、異なるモードを設定した複数の多方向スイッチユニット２０４に同じ機能を割り当て、多方向スイッチユニット２０４の選択により俊敏操作モードと確実操作モードとを使い分けるようにしてもよい。
【００７４】
図８は、スイッチ装置２００の制御手順を示す流れ図である。撮像装置１００の電源が投入されると、導通制御部２２０は、撮像装置１００の動作モードが撮影モードであるか再生モードであるかを調べる（ステップＳ１０１）。
【００７５】
撮像装置１００が撮影モードではない場合（ステップＳ１０１：ＮＯ）、即ち、撮像装置１００が再生モードで動作している場合、導通制御部２２０は、再生モードにおける導通制御を開始する（ステップＳ１０２）。再生モードにける導通制御（ステップＳ２００）については他の図を参照して説明する。
【００７６】
撮像装置１００が撮影モードである場合（ステップＳ１０１：ＹＥＳ）、導通制御部２２０は、撮像装置１００の撮影モードが、静止画撮影モードであるか否かを調べる（ステップＳ１０３）。撮影モードが静止画撮影モードではない場合（ステップＳ１０３：ＮＯ）即ち、撮影モードが動画撮影モードの場合、導通制御部２２０は、動画撮影モードにおける導通制御を開始する（ステップＳ１０４）。動画撮影モードにける導通制御（ステップＳ３００）については他の図を参照して説明する。
【００７７】
撮像装置１００が撮影モードであって（ステップＳ１０１：ＹＥＳ）、更に、撮影モードが静止画撮影モードである場合（ステップＳ１０３：ＹＥＳ）、導通制御部２２０は、静止画撮影モードにおける導通制御を開始する（ステップＳ１０５）。静止画撮影モードにける導通制御（ステップＳ４００）については他の図を参照して説明する。
【００７８】
図９は、撮像装置１００が再生モードに設定された場合のスイッチ装置２００の制御手順Ｓ２００を示す流れ図である。再生モードの撮像装置１００において、導通検出部２１０は、多方向スイッチユニット２０４の個別端子Ｔ、Ｒ、Ｂ、Ｌの導通状態を監視する（ステップＳ２０１）。
【００７９】
なお、個別端子Ｔ、Ｒ、Ｂ、Ｌに接続された固定接点２１は、多方向スイッチユニット２０４の傾動操作レバー２０８がいずれかの方向に傾動するように操作された場合に導通状態になる。よって、個別端子Ｔ、Ｒ、Ｂ、Ｌに接続された固定接点２１を、以下、傾動接点と記載する。
【００８０】
また、個別端子Ｐに接続された固定接点２４は、多方向スイッチユニット２０４の傾動操作レバー２０８が押し込まれた場合、または、大きく傾動操作された場合に導通状態になる。よって、個別端子Ｐに接続された固定接点２４を、以下、押込接点と記載する。
【００８１】
傾動接点が導通したことを導通検出部２１０が検出すると（ステップＳ２０１：ＹＥＳ）、スイッチモード切替部１６２は、それ以前の状態にかかわりなく、導通制御部２２０を確実操作モードに自動的に切り替える（ステップＳ２０２）。これにより、導通制御部２２０はいずれの回路も有効にせず、導通検出部２１０は押込接点の導通状態を継続的に監視する（ステップＳ２０３：ＮＯ）。
【００８２】
導通検出部２１０が押込接点の導通を検出した場合（ステップＳ２０３：ＹＥＳ）、導通制御部２２０は、コマ送り動作実行回路１６１を有効にする（ステップＳ２０４）。これにより、撮像装置１００の表示部１４０に表示される画像が、その前に撮影された画像に変更される。
【００８３】
次いで、導通検出部２１０は押込接点の導通状態を監視しつつ、押込接点が解放されるまでコマ送り動作実行回路１６１を有効にし続ける（ステップＳ２０５：ＮＯ）。コマ送り動作実行回路１６１が有効な期間、表示部１４０に表示される画像は順次変更される。
【００８４】
導通検出部２１０が押込接点の解放を検出すると（ステップＳ２０５：ＹＥＳ）、導通制御部２２０はコマ送り動作実行回路１６１を無効にする（ステップＳ２０６）。これにより、表示部１４０に表示される画像は固定される。
【００８５】
ただし、傾動接点が導通し続けている間、導通検出部２１０は傾動接点の導通を監視しつつ待機する（ステップＳ２０７：ＮＯ）。ここで、傾動接点の解放が検出された場合（ステップＳ２０７：ＹＥＳ）、スイッチ装置２００は、撮像装置１００における再生モードが維持されているか否かを調べる（ステップＳ２０８）。
【００８６】
撮像装置１００の再生モードが維持されている場合（ステップＳ２０８：ＹＥＳ）、導通検出部２１０は、再び傾動接点の導通状態を監視する（ステップＳ２０１）。一方、撮像装置１００が再生モードではなくなっていることを検出した場合（ステップＳ２０８：ＮＯ）、導通検出部２１０は、撮像装置１００が撮影モードであるか否かを再び調べる（ステップＳ１０１（図８））。以下、既に説明した通りの制御手順が再び実行される。
【００８７】
また、ステップＳ２０１において、傾動接点の導通が検出される前に（ステップＳ２０１：ＮＯ）、拡大表示ボタン１０２が押されて、撮像装置１００に対して拡大表示が指示された場合（ステップＳ２１１：ＹＥＳ）、スイッチモード切替部１６２は、導通制御部２２０に対して俊敏操作モードを設定する（ステップＳ２１２）。
【００８８】
このように、再生モードにある撮像装置１００の多方向スイッチユニット２０４が操作された場合、スイッチ装置２００は、当該操作をコマ送りの指示と判断して、導通制御部２２０を確実操作モードに遷移させる。よって、ユーザは、クリック感が生じるまでキートップ２０２を深く押し込んだ場合に表示させる画像を変更できる。
【００８９】
つづいて、導通検出部２１０は、傾動接点の導通を監視して、拡大表示回路１６３の動作に関連する傾動接点が導通するまで待機する（ステップＳ２１３：ＮＯ）。導通検出部２１０が傾動接点の導通を検出した場合（ステップＳ２１３：ＹＥＳ）、導通制御部２２０は、拡大表示回路１６３を有効にする（ステップＳ２１４）。
【００９０】
これにより、表示部１４０における表示画像の拡大率が変化する。よって、ユーザからすると、キートップ２０２の僅かな操作に即応して表示画像の拡大率が変化する。
【００９１】
更に、導通検出部２１０は、押込接点の導通を継続的に監視し、押込接点の導通を検出するまで待機する（ステップＳ２１５：ＮＯ）。導通検出部２１０が押込接点の導通を検出すると（ステップＳ２１５：ＹＥＳ）、導通制御部２２０は、拡大表示回路１６３に、表示画像の拡大率の変化を増速させる。これにより、表示部１４０に表示される画像は急速に拡大される。
【００９２】
導通検出部２１０は、更に、継続的に押込接点の導通を監視して、押込接点が解放されるまで待機する（ステップＳ２１７：ＮＯ）。よって、押込接点が導通している間は、表示部１４０の表示画像の拡大率は急速に増加し続ける。一方、導通検出部２１０が押込接点の解放を検出した場合（ステップＳ２１７：ＹＥＳ）、導通制御部２２０は、拡大表示回路１６３に指示して、拡大率の増速を解除させる（ステップＳ２１８）。
【００９３】
更に、導通検出部２１０は、傾動接点の導通状態を継続して監視し、傾動接点が解放されるまで状態を維持する（ステップＳ２１９：ＮＯ）。よって、拡大表示回路１６３は依然として有効であり、拡大率の増加を減速しつつも、表示部１４０の表示画像は拡大し続ける。
【００９４】
一方、導通検出部２１０が傾動接点の解放を検出した場合（ステップＳ２１９：ＹＥＳ）、導通制御部２２０は拡大表示回路１６３を停止させる（ステップＳ２２０）。よって、表示部１４０に表示された画像は、その時点の拡大率による拡大表示を継続する。
【００９５】
ここで、導通制御部２２０は、拡大表示ボタン１０２による拡大表示の指示が維持されているか否かを調べる（ステップＳ２２１）。拡大表示ボタン１０２が依然として押されている場合（ステップＳ２２１）、導通検出部２１０は、再び傾動接点の導通を監視し、（ステップＳ２１３）、ステップＳ２１３からステップＳ２２１に至る一連の制御手順を繰り返す。よって、表示部１４０への拡大画像の表示も維持される。
【００９６】
ステップＳ２２１において、拡大表示ボタン１０２が解放されて拡大表示の指示が解除されたことが検出されると（ステップＳ２２１：ＹＥＳ）、導通制御部２２０は、拡大表示回路１６３を無効にして（ステップＳ２２２）、表示部１４０に表示される画像の拡大を終了する。更に、導通制御部２２０は、撮像装置１００における再生モードが維持されているか否かを調べる（ステップＳ２２３）。
【００９７】
撮像装置１００の再生モードが維持されている場合（ステップＳ２２３：ＹＥＳ）、導通検出部２１０は、再び傾動接点の導通状態を監視する（ステップＳ２１２）し、ステップＳ２１２からステップＳ２２３に至る一連の制御手順を再び繰り返す。撮像装置１００が再生モードではなくなっていることを検出した場合（ステップＳ２２３：ＮＯ）、導通検出部２１０は、撮像装置１００が撮影モードであるか否かを再び調べる（ステップＳ１０１（図８））。以下、既に説明した通りの制御手順が再び実行される。
【００９８】
このように、再生モードにある撮像装置１００において拡大表示ボタン１０２が押され、撮像装置１００に拡大表示が指示された場合、スイッチ装置２００は、導通制御部２２０を自動的に俊敏操作モードに切り替える。よって、ユーザは、操作に鋭敏に反応するキートップ２０２により表示画像の拡大率を操作できる。
【００９９】
また、クリック感を感じるまでキートップ２０２を押し込んだり、大きく傾動させたりした場合には、表示画像の拡大率を高速に変化させることができる。よって、表示画像に希望する拡大率を迅速に設定できる。
【０１００】
図１０は、スイッチ装置２００の再生モードにける導通制御（ステップＳ２００）の制御手順を示す流れ図である。ステップＳ１０４（図８）において、撮像装置１００が動画撮影モードに設定されていることが判った場合（ステップＳ３００）スイッチモード切替部１６２は、導通制御部２２０を俊敏操作モードに設定する（ステップＳ３０１）。続いて、スイッチ装置２００は、導通制御部２２０を俊敏操作モードに設定した状態を維持したまま、撮像装置１００に撮影開始が指示されるまで待機する（ステップＳ３０２：ＮＯ）。
【０１０１】
このような状態で、撮像装置１００のレリーズボタン等により動画撮影の開始が指示されると（ステップＳ３０２：ＹＥＳ）、導通制御部２２０は、ノイズキャンセル回路１８６を有効にする（ステップＳ３０３）。これにより、多方向スイッチユニット２０４においてクリック音が発生した場合であっても、動画と共に記録されるクリック音は抑制される。
【０１０２】
続いて、スイッチ装置２００においては、導通検出部２１０が、傾動接点の導通状態を監視し、傾動接点が導通するまで待機する（ステップＳ３０４：ＮＯ）。導通検出部２１０が傾動接点の導通を検出すると（ステップＳ２０４：ＹＥＳ）、導通制御部２２０は、変倍駆動回路１５４を有効にする（ステップＳ３０５）。これにより、撮像装置１００は、光学系の撮影倍率を変更する。
【０１０３】
更に、導通検出部２１０は、押込接点の導通を継続的に監視し、押込接点の導通を検出するまで待機する（ステップＳ３０６：ＮＯ）。導通検出部２１０が押込接点の導通を検出すると（ステップＳ３０６：ＹＥＳ）、導通制御部２２０は、変倍駆動回路１５４に指示を出して、撮影倍率の変化の速度を増速させる（ステップＳ３０７）。これにより、光学系の倍率は急速に変化する。
【０１０４】
導通検出部２１０は更に、継続的に押込接点の導通を監視して、押込接点が解放されるまで待機する（ステップＳ３０８：ＮＯ）。よって、押込接点が導通している間は、光学系における倍率は急速に変化し続ける。一方、導通検出部２１０が押込接点の解放を検出した場合（ステップＳ３０８：ＹＥＳ）、導通制御部２２０は、変倍駆動回路１５４に指示して、変倍の増速を解除させる（ステップＳ３０９）。
【０１０５】
更に、導通検出部２１０は、傾動接点の導通状態を継続して監視し、傾動接点が解放されるまでは（ステップＳ３１０：ＮＯ）、変倍駆動回路１５４を有効にした状態を維持しつつ、押込接点の導通を監視する（ステップＳ３０６）。よって、変倍駆動回路１５４は依然として有効であり、倍率の変化は遅くなるものの変倍動作は継続する。以下、ステップＳ３０６からステップＳ２０９までの制御手順が再び実行される。
【０１０６】
また、ステップＳ３１０において導通検出部２１０が傾動接点の解放を検出した場合（ステップＳ３１０：ＹＥＳ）、導通制御部２２０は変倍駆動回路１５４の動作を停止させる（ステップＳ３１１）。よって、撮像装置１００の光学系における撮影倍率は固定される。
【０１０７】
ここで、導通制御部２２０は、動画を撮影すべき旨の指示が解除されたか否かを調べる（ステップＳ３１２）。即ち、撮像装置１００のレリーズボタン等が継続的に押されており、動画撮影が継続している場合（ステップＳ３１２：ＮＯ）、導通検出部２１０は、再び傾動接点の導通を監視し（ステップＳ３０４）、ステップＳ３０４からステップＳ３１２に至る一連の制御手順を繰り返す。この間、撮像装置１００による動画撮影も継続される。
【０１０８】
ステップＳ３１２において、動画撮影の指示が解除されたことが検出されると（ステップＳ３１２：ＹＥＳ）、導通制御部２２０は、変倍駆動回路１５４を無効にする（ステップＳ３１３）。更に、導通制御部２２０は、撮像装置１００における動画撮影モードが維持されているか否かを調べる（ステップＳ３１４）。
【０１０９】
撮像装置１００の動画撮影モードが維持されている場合（ステップＳ３１４：ＹＥＳ）、導通検出部２１０は、再び傾動接点の導通状態を監視し（ステップＳ３０２）し、ステップＳ３０１からステップＳ３１４に至る一連の制御手順を繰り返す。撮像装置１００が動画撮影モードではなくなっていることを検出した場合（ステップＳ３１４：ＮＯ）、導通検出部２１０は、撮像装置１００が撮影モードであるか否かを再び調べる（ステップＳ１０１（図８））。以下、既に説明した通りの制御手順が再び実行される。
【０１１０】
このように、動画モードにある撮像装置１００において、スイッチ装置２００は、撮影開始後に導通制御部２２０を自動的に俊敏操作モードに切り替える。また、動画撮影中に予め定められたキートップ２０２が押された場合、導通制御部２２０は、変倍駆動回路１５４を有効にして光学系の撮影倍率を変化させる。よって、ユーザは、キートップ２０２の操作に鋭敏に反応する撮影倍率で動画を撮影できる。
【０１１１】
また、上記キートップ２０２を、クリック感が感じられるまで深く押し込んだり、大きく傾動させたりした場合には、撮影倍率を急速に変化させることができる。更に、この場合に生じたクリック音は、ノイズキャンセル回路１８６により抑圧される。
【０１１２】
図１１は、撮像装置１００が撮影モードであって、静止画撮影をする場合のスイッチ装置２００の制御手順（ステップＳ４００）を示す流れ図である。ステップＳ１０５（図８）において、撮像装置１００に静止画撮影モードが設定されていることが判った場合（ステップＳ４００）、導通制御部２２０は、スイッチモード切替レバー２０３の状態に応じて、スイッチ装置２００に俊敏操作モード設定が指示されているか否かを調べる（ステップＳ４０１）。
【０１１３】
ステップＳ４０１において俊敏操作モードが指示されていない場合（ステップＳ４０１：ＮＯ）、スイッチ装置２００は自動的に確実操作モードを設定して（ステップＳ４０２）、確実操作モードによる制御手順を継続する。即ち、導通検出部２１０は、傾動接点の導通状態を監視して、傾動接点が導通するまで待機する（ステップＳ４０３：ＮＯ）。
【０１１４】
傾動接点の導通を検出した場合（ステップＳ４０３：ＹＥＳ）、導通検出部２１０は、引き続き押込接点の導通を監視して、押込接点が導通するまで待機する（ステップＳ４０４：ＮＯ）。押込接点も導通したことを導通検出部２１０が検出した場合（ステップＳ４０４：ＹＥＳ）、導通制御部２２０は合焦領域移動回路１６５を有効にする。これにより、キートップ２０２が押された位置に応じて合焦領域が移動する。
【０１１５】
次いで、スイッチ装置２００においては、導通検出部２１０により押込接点の導通を継続的に監視しつつ、導通制御部２２０により合焦領域移動回路１６５の有効を維持する（ステップＳ４０６：ＮＯ）。よって、合焦領域は継続的に移動し続ける。
【０１１６】
ここで、導通検出部２１０が押込接点の解放を検出すると（ステップＳ４０６：ＹＥＳ）、導通制御部２２０は合焦領域移動回路１６５を無効にする（ステップＳ４０７）。これにより、合焦領域は固定される。
【０１１７】
ただし、傾動接点の導通が継続している場合（ステップＳ４０８：ＮＯ）、導通検出部２１０は、押込接点の導通を継続的に監視して、押込接点が再び導通した場合は、ステップＳ４０４からステップＳ４０８までの一連の制御手順を実行する。また、ステップ４０８において、傾動接点の導通が解除されたことを導通検出部２１０が検出した場合、導通制御部２２０は、撮像装置１００において静止画撮影モードが維持されているか否かを調べる（ステップＳ４０９）。
【０１１８】
撮像装置１００において静止画撮影モードが維持されていることが判った場合（ステップＳ４０９：ＹＥＳ）、スイッチ装置２００は、ステップＳ４０１から始まる制御手順を改めて実行する。一方、撮像装置１００において静止画撮影モードが解除されていることが判った場合（ステップＳ４０９：ＮＯ）、スイッチ装置２００は、撮像装置１００が撮影モードであるか否かを再び調べる（ステップＳ１０１（図８））。以下、既に説明した通りの制御手順が再び実行される。
【０１１９】
また、ステップＳ４０１において俊敏操作モードが指示されている場合（ステップＳ４０１：ＹＥＳ）、スイッチ装置２００は俊敏操作モードに設定され、俊敏操作モードにおける制御手順を実行する。即ち、導通検出部２１０は、傾動接点の導通状態を監視して、傾動接点が導通するまで待機する（ステップＳ４１２：ＮＯ）。
【０１２０】
俊敏操作モードにおいて導通検出部２１０により傾動接点の導通が検出された場合（ステップＳ４１２：ＹＥＳ）、導通制御部２２０は、合焦領域移動回路１６５を即座に有効にする。これにより、ユーザがキートップ２０２を押し込んだ場合に、即座に合焦領域が移動する。
【０１２１】
次いで、導通検出部２１０は、押込接点の導通が検出されるまで、合焦領域移動回路１６５が有効な状態を維持する（ステップＳ４１４：ＮＯ）。よって、合焦領域は、ファインダ１０３の視野内で一定の速度で移動し続ける。
【０１２２】
ここで、導通検出部２１０が押込接点の導通を検出すると（ステップＳ４１４：ＹＥＳ）、導通制御部２２０は、合焦領域移動回路１６５に指示して、合焦領域の移動速度を増速させる。これにより、合焦領域を短時間で大きく移動させることができる。
【０１２３】
また、導通検出部２１０は、押込接点の監視を継続し、押込接点の解放を検出するまで状態を維持する（ステップＳ４１６：ＮＯ）。よって、合焦領域は高速な移動を継続する。
【０１２４】
続いて、導通検出部２１０が押込接点の解放を検出すると（ステップＳ４１６：ＹＥＳ）導通制御部２２０は、合焦領域移動回路１６５に指示して増速を解除し、合焦領域の移動速度を元に戻す（ステップＳ４１７）。更に、導通検出部２１０は、傾動接点の導通状態を継続して監視し、傾動接点が解放されるまで状態を維持する（ステップＳ４１８：ＮＯ）。よって、合焦領域は、当初の移動速度で、依然として移動を継続している。
【０１２５】
導通検出部２１０が傾動接点の解放を検出した場合（ステップＳ４１８：ＹＥＳ）、導通制御部２２０は合焦領域移動回路１６５を無効にする（ステップＳ４１９）。よって、合焦領域は、その時点の位置に固定される。続いて、導通制御部２２０は、撮像装置１００において静止画撮影モードが維持されているか否かを調べる（ステップＳ４２０）。
【０１２６】
撮像装置１００において静止画撮影モードが維持されていることが判った場合（ステップＳ４２０：ＹＥＳ）、スイッチ装置２００は、ステップＳ４０１から始まる制御手順を改めて実行する。一方、撮像装置１００において静止画撮影モードが解除されていることが判った場合（ステップＳ４２０：ＮＯ）、スイッチ装置２００は、撮像装置１００が撮影モードであるか否かを再び調べる（ステップＳ１０１（図８））。以下、既に説明した通りの制御手順が再び実行される。
【０１２７】
このように、スイッチ装置２００は、スイッチモード切替レバー２０３を通じて入力されたユーザの指定に応じて、俊敏操作モードまたは確実操作モードのいずれかの制御手順に従って動作する。よって、撮像装置１００は、ユーザの操作に即応して動作させることもできるし、クリック感を確認しながら確実に動作させることもできる。
【０１２８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１２９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１３０】
２１、２４  固定接点、２２、２３  可動接片、１００  撮像装置、１０１  再生モードボタン、１０２  拡大表示ボタン、１０３  ファインダ、１１０  システムメモリ、１１２  メインメモリ、１１４  二次記憶媒体、１２０  合焦センサ、１３０  測光センサ、１４０  表示部、１５０  鏡筒ＣＰＵ、１５２  合焦駆動回路、１５４  変倍駆動回路、１６０  本体ＣＰＵ、１６１  コマ送り動作実行回路、１６２  スイッチモード切替部、１６３  拡大表示回路、１６５  合焦領域移動回路、１７０  撮像部、１７２  撮像素子駆動部、１７４  撮像素子、１７６  アナログデジタル変換回路、１７８  画像処理回路、１８０  マイクロホン、１８２  ステレオマイクロホン、１８４  モノラルマイクロホン、１８６  ノイズキャンセル回路、２００  スイッチ装置、２０１  多方向スイッチ組立体、２０２  キートップ、２０３  スイッチモード切替レバー、２０４  多方向スイッチユニット、２０５  押さえ板、２０６  フレキシブル基板、２０７  外装パネル、２０８  傾動操作レバー、２０９  固定ビス、２１０  導通検出部、２２０  導通制御部
【図１】
2012226225.tif 000003
【図２】
2012226225.tif 000004
【図３】
2012226225.tif 000005
【図４】
2012226225.tif 000006
【図５】
2012226225.tif 000007
【図６】
2012226225.tif 000008
【図７】
2012226225.tif 000009
【図８】
2012226225.tif 000010
【図９】
2012226225.tif 000011
【図１０】
2012226225.tif 000012
【図１１】
2012226225.tif 000013